(57)【要約】【課題】優れた収縮性をもつ、引き締まった伏目処理部を得ることができる編地の伏目方法を提供する。【解決手段】編目列を一方の針床（ＦＢ）と他方の針床（ＢＢ）に振り分けた状態としてから、同一の編糸を使用して次の［１］、［２］を交互に繰り返す。［１］ＦＢにおいて始端方向ＲＳの端部にある一方側端部編目（編目η）と、同ＦＢにおいてこの編目ηから伏目方向ＬＳに最も近い編目εと、をＢＢ上で重ね合わせ、その重ね目ε／ηに続いて新たな編目Ｐ１を形成し、その編目Ｐ１を一方側端部編目として規定し直す。［２］ＢＢにおいて始端方向ＲＳの端部にある他方側端部編目（編目Ｐ０）と、同ＢＢにおいてこの編目Ｐ０から伏目方向ＬＳに最も近い編目δと、をＦＢ上で重ね合わせ、その重ね目δ／Ｐ０に続いて新たな編目Ｐ２を形成し、その編目Ｐ２を他方側端部編目として規定し直す。【選択図】図１
2012122175.tif 000002
【特許請求の範囲】
【請求項１】
少なくとも前後一対の針床を有し、前後の針床の少なくとも一方が左右にラッキング可能で、かつ当該針床の編針に係止される編目を別の編針に目移しが可能な横編機を用いて、針床に係止される編地のウエール方向端部の編目列を伏目処理する編地の伏目方法であって、
針床の長手方向に伏目が順次形成されていく方向を伏目方向、伏目方向とは逆方向を始端方向としたとき、
前記編目列を一方の針床と他方の針床に振り分けた状態としてから、
前記一方の針床において始端方向の端部にある一方側端部編目と、当該一方の針床においてこの一方側端部編目から伏目方向に最も近い編目と、を他方の針床上で重ね合わせ、その重ね目に続いて新たな編目を形成し、その新たな編目を一方側端部編目として規定し直すことと、
前記他方の針床において始端方向端部にある他方側端部編目と、当該他方の針床においてこの他方側端部編目から伏目方向に最も近い編目と、を一方の針床上で重ね合わせ、その重ね目に続いて新たな編目を形成し、その新たな編目を他方側端部編目として規定し直すこととを、
同一の編糸を使用して交互に繰り返すことを特徴とする編地の伏目方法。
【請求項２】
少なくとも前後いずれかの針床における前記新たな編目の形成前に、前後いずれかの針床の空針に掛け目を形成し、
当該新たな編目の形成後に、その掛け目を針床から外すことを特徴とする請求項１に記載の編地の伏目方法。
【請求項３】
前記編糸に弾性糸を用いることを特徴とする請求項１に記載の編地の伏目方法。
【請求項４】
前記編糸に弾性糸を用いることを特徴とする請求項２に記載の編地の伏目方法。
【請求項５】
前記編目列が天竺組織で編成される場合、
目移しとラッキングを用いて、その編目列の編目が、始端方向から伏目方向に向かって、一方の針床と他方の針床に１目ずつ交互に振り分けられた状態とすることを特徴とする請求項１〜４のいずれか一項に記載の編地の伏目方法。
【請求項６】
前記編目列がリブ組織で編成される場合、
その編目列を、編成されたときと同じ状態のままとしておくことで、当該編目列の表目が一方の針床に、当該編目列の裏目が他方の針床に振り分けられた状態とすることを特徴とする請求項１〜４のいずれか一項に記載の編地の伏目方法。
【請求項７】
前記編目列がリブ組織で編成される場合、
目移しとラッキングを用いて、その編目列の表目が一方の針床に、当該編目列の裏目が他方の針床に振り分けられ、かつ始端方向から伏目方向に向かって、一方の針床と他方の針床に１目ずつ交互に配列された状態とすることを特徴とする請求項１〜４のいずれか一項に記載の編地の伏目方法。
【請求項８】
少なくとも前後一対の針床を有し、前後の針床の少なくとも一方が左右にラッキング可能で、かつ当該針床の編針に係止される編目を別の編針に目移しが可能な横編機を用いて、編幅方向の一端側から他端側に向かって伏目処理することを繰り返すことで形成される伏目処理部を有する編地であって、
前記伏目処理部は、同一の編糸により編地の編幅方向の一方から他方に向かって交互に形成される表目からなる伏目と裏目からなる伏目とを有することを特徴とする編地。
【発明の詳細な説明】
【技術分野】
【０００１】
本発明は、横編機を用いて編地を編成するにあたり、針床に係止される編地のウエール方向端部の編目を伏目処理する編地の伏目方法、およびこの編地の伏目方法を適用して得られた編地に関する。
【背景技術】
【０００２】
横編機で編地を編成する場合、その編地の最終コースの編目列（ウエール方向端部の編目列）が解れないように処理する方法として、伏目処理を挙げることができる。伏目処理とは、針床に係止される編目列のうち、隣接する編目同士を重ね合わせて、これら重ね合わせた二重の編目（重ね目）に続いて新たな編目を形成することを、編地の編幅方向の一端側から他端側に向けて繰り返す処理である（例えば、特許文献１参照）。
【先行技術文献】
【特許文献】
【０００３】
【特許文献１】特開平２−９１２５４号公報
【発明の概要】
【発明が解決しようとする課題】
【０００４】
ところで、編地の最終コースに形成される伏目処理部は、伸縮性を要求されることが多い。例えば、セーターの衿などはその典型である。セーターの衿は、セーターを着用する際に頭を通すことができ、セーターを着用したときには人体にフィットする必要があるからである。
【０００５】
しかし、従来の伏目方法で得られた伏目処理部は、十分な伸縮性を持っているとは言い難かった。伏目処理部の伸縮性が芳しくないのは、伏目処理部における編糸の伸び代が小さいからであると考えられる。編糸の伸び代が小さいという問題に対して、編目の大きさ（度目）を大きくすることも考えられるが、その場合、伏目処理部がラッパ状に広がって、編地の見栄えが損なわれてしまう恐れがある。
【０００６】
本発明は、上記事情に鑑みてなされたものであり、優れた収縮性をもつ、引き締まった伏目処理部を得ることができる編地の伏目方法、およびその伏目方法を適用して編成された編地を提供することを目的とする。
【課題を解決するための手段】
【０００７】
本発明編地の伏目方法は、少なくとも前後一対の針床を有し、前後の針床の少なくとも一方が左右にラッキング可能で、かつ当該針床の編針に係止される編目を別の編針に目移しが可能な横編機を用いて、針床に係止される編地のウエール方向端部の編目列を伏目処理する編地の伏目方法である。この本発明伏目処理方法は、針床の長手方向に伏目が順次形成されていく方向を伏目方向、伏目方向とは逆方向を始端方向としたとき、上記編目列を一方の針床と他方の針床に振り分けた状態としてから、下記工程［１］と［２］とを同一の編糸を使用して交互に繰り返すことを特徴とする。
［１］上記一方の針床において始端方向の端部にある一方側端部編目と、当該一方の針床においてこの一方側端部編目から伏目方向に最も近い編目と、を他方の針床上で重ね合わせ、その重ね目に続いて新たな編目を形成し、その新たな編目を一方側端部編目として規定し直す。
［２］上記他方の針床において始端方向端部にある他方側端部編目と、当該他方の針床においてこの他方側端部編目から伏目方向に最も近い編目と、を一方の針床上で重ね合わせ、その重ね目に続いて新たな編目を形成し、その新たな編目を他方側端部編目として規定し直す。
なお、上記［１］と［２］は交互に行えば良く、どちらを先に行ってもかまわない。
【０００８】
本発明編地の伏目方法において、前後の針床への編目列の振り分けは、ある一定の法則に基づいて行うことが好ましい。例えば、天竺組織の編目列であれば、始端方向から伏目方向に向かって、前後の針床に１目ずつ交互に振り分けることが好ましい（後述する実施形態１参照）。また、リブ組織の編目列の場合、その編目列が編成されたときに、前後の針床に表目と裏目とが振り分けられた状態となっているので、その振り分け状態をそのまま利用すると良い（後述する実施形態４参照）。その他、リブ組織の編目列をあえて前後の針床に１目ずつ交互に振り分けても良い。その場合、一方の針床には表目が、他方の針床には裏目が配置され、かつ始端方向から伏目方向に向かって表目と裏目とが交互に並ぶようにする（後述する実施形態２，３参照）。
【０００９】
本発明編地の伏目方法の一形態として、少なくとも前後いずれかの針床における上記新たな編目の形成前に、前後いずれかの針床の空針に掛け目を形成し、当該新たな編目の形成後に、その掛け目を針床から外すことが好ましい。
【００１０】
空針に掛け目を形成するタイミングを具体的に示すと、上記工程［１］の新たな編目を形成する前でも良いし、上記工程［２］の新たな編目を形成する前でも良い。もちろん、上記工程［１］の新たな編目を形成する前と工程［２］の新たな編目を形成する前の両方で、掛け目を形成しても良い。一方、掛け目を針床から外すタイミングは、新たな編目を形成した後であれば特に限定されない。例えば、工程［１］の新たな編目の形成前に掛け目を形成したのであれば、工程［１］の新たな編目の形成の直ぐ後に掛け目を針床から外しても良いし、あるいは伏目処理を全て終わらせた後に掛け目を針床から外しても良い。
【００１１】
本発明編地の伏目方法の一形態として、編糸に弾性糸を用いることが好ましい。その場合、弾性糸のみを用いても良いし、弾性糸と非弾性糸とを引き揃えたものを用いても良い。
【００１２】
一方、本発明編地は、少なくとも前後一対の針床を有し、前後の針床の少なくとも一方が左右にラッキング可能で、かつ当該針床の編針に係止される編目を別の編針に目移しが可能な横編機を用いて、編幅方向の一端側から他端側に向かって伏目処理することを繰り返すことで形成される伏目処理部を有する編地である。そして、本発明編地に備わる伏目処理部は、同一の編糸により編地の編幅方向の一方から他方に向かって交互に形成される表目からなる伏目と裏目からなる伏目とを有することを特徴とする。
【発明の効果】
【００１３】
本発明編地の伏目方法によれば、同一の編糸により編地の編幅方向の一方から他方に向かって交互に形成される表目からなる伏目（表目伏目）と裏目からなる伏目（裏目伏目）とを有する伏目処理部を備える本発明編地を編成できる。表目からなる伏目と裏目からなる伏目とは渡り糸で繋がれているため、本発明編地を編地の編幅方向に引っ張った場合、渡り糸から表目伏目と裏目伏目に編糸が繰り出され、伏目処理部が伸びる。そのため、本発明編地における伏目処理部は、従来の伏目処理部よりも優れた伸縮性を発揮する。また、その伏目処理部は、リブ組織のように表目伏目と裏目伏目とが交互に並ぶことによって形成されているため、コンパクトに畳まれた状態となっている。そのため、伏目処理部の端部のラインが凹凸なく綺麗に仕上がるし、伏目処理部が編幅方向にラッパ状に広がることもない。
【００１４】
本発明編地の伏目方法において掛け目の形成と掛け目の外しとを行うことで、交互に形成される表目伏目と裏目伏目との間で糸長を稼ぐことができる。そうすることで、両伏目が変形した際に、渡り糸に向かって十分な長さの編糸を繰り出せる大きさに両伏目を形成でき、伏目処理部の伸縮性をさらに向上させることができる。
【００１５】
ここで、本発明編地の伏目方法において弾性糸を利用すれば、表目伏目と裏目伏目の間で糸長を稼いでも、弾性糸の伸縮性により伏目処理部において孔が空くことを防止できる。また、弾性糸自身の伸縮性により、伏目処理部の伸縮性を向上させることもできる。
【図面の簡単な説明】
【００１６】
【図１】実施形態１に記載の編地の伏目方法に係る編成工程図である。
【図２】（Ａ）は実施形態１に係る編地の平面図、（Ｂ）は（Ａ）を黒矢印の方向から見たときの編目のイメージ図、（Ｃ）は（Ａ）の編地を編幅方向に引っ張ったときの編地の平面図、（Ｄ）は（Ｃ）を黒矢印の方向から見たときの編目のイメージ図である。
【図３】実施形態２に記載の編地の伏目方法に係る編成工程図である。
【図４】実施形態３に記載の編地の伏目方法に係る編成工程図である。
【図５】実施形態４に記載の編地の伏目方法に係る編成工程図である。
【発明を実施するための形態】
【００１７】
以下、本発明の実施形態を図面に基づいて説明する。実施形態に記載の編成はいずれも、左右方向に延び、かつ前後方向に互いに対向する前後一対の針床を備え、後針床が左右にラッキング可能で、前後の針床間で編目の目移しが可能な２枚ベッド横編機を用いた編成例を説明する。もちろん、使用する横編機は４枚ベッド横編機であっても良い。
【００１８】
＜実施形態１＞
本実施形態では、図１のＳ１に示すように、前針床に係止される天竺編みの編地のウエール方向端部の編目列を伏目処理する例を説明する。なお、説明を分かり易くするため、編針の数を実際の編成で使用する数より少なくして説明する。
【００１９】
図１の左欄の「Ｓ＋数字」は工程番号を示し、右欄は各工程における編成状態を示す。その右欄の上下方向または斜め方向の矢印は目移しを、符号１〜１２は前針床ＦＢおよび後針床ＢＢの編針（黒点）の位置を示す。また、図１中の○は針床に係止される編目を、◎は重ね目を、●は各編成工程で編成される編目、逆Ｖ字は掛け目を示す。なお、図１中では、ラッキングを伴う目移しについては、そのラッキングの動作を省略している。
【００２０】
図１のＳ１には、ＦＢにおいて編地の最終コースの編目列（編目α〜θ）が係止された状態が示されている。この状態から、上記編地の編成に用いた編糸（非弾性糸）とは異なる弾性糸を用いて、当該編目列の伏目処理を開始する。伏目処理は、紙面右方向の端部から開始して、左方向に向かって行うので、以降は紙面右方向を始端方向ＲＳ、左方向を伏目方向ＬＳと呼ぶ。なお、Ｓ１に続くＳ２〜Ｓ５を経て最初に形成される伏目（Ｓ５の編目Ｐ０）の編成手順は、本発明編地の伏目方法とは若干異なる。
【００２１】
まず、Ｓ２では、ＦＢの編針２，４，６に係止される編目β，δ，ζを、対向するＢＢの編針２，４，６に目移しする。そして、Ｓ３では、ＢＢの編針６の編目ζを、ＦＢの編針８の編目θに重ね合わせる。
【００２２】
続くＳ４では給糸口を伏目方向ＬＳに移動させる間にＢＢの編針１０に掛け目κを形成して、さらに給糸口を重ね目ζ／θを超える位置まで移動させ、Ｓ５では給糸口を始端方向ＲＳに移動させる間に、Ｓ３でＦＢの編針８に形成した重ね目ζ／θに続く新たな編目Ｐ０を形成する。このＳ５で形成される編目Ｐ０は伏目処理にあたり最初に形成される伏目であり、表目である。なお、Ｓ４で形成する掛け目κは、ＦＢの空針に形成しても良い。また、掛け目κは、始端方向ＲＳに給糸口を移動させる間に形成しても良い。
【００２３】
ここで、編目Ｐ０は、次のＳ６においてＢＢの編針６に目移しされるので、本実施形態では、ＢＢにおける始端方向ＲＳの端部の編目（他方側端部編目）と考える。そうすると、ＦＢの編針７に係止される編目ηが、ＦＢにおける始端方向ＲＳの端部の編目（一方側端部編目）となる。つまり、編目Ｐ０がＢＢの編針６にあるものと考えると、天竺編の編目列がＦＢとＢＢに交互に１目ずつ振り分けられた状態にあるといえる。そこで、次のＳ６以降、本発明編地の伏目方法の工程［１］と工程［２］を繰り返していく。
【００２４】
Ｓ６では、ＦＢの編針７，８に係止される編目η，Ｐ０をそれぞれ、ＢＢの編針５，６に目移しし、Ｓ７では、掛け目κを針床から外すと共に、ＦＢの編針５に係止される編目εを、ＢＢの編針５に目移しする。Ｓ７が終了した時点で、Ｓ５のときにＦＢにおける始端方向ＲＳの端部にあった編目η（一方側端部編目）と、ＦＢ上で編目ηに最も近い位置にあった編目εとが、ＢＢの編針５上で重ね合わされる。
【００２５】
ここで、Ｓ４で形成した掛け目κをＳ７でＢＢの編針１０から外すことで、伏目処理の開始から編目Ｐ０に至る編糸の糸長を稼ぐことができる。糸長は概ね、編目Ｐ０を形成する位置からどの程度離れた位置に掛け目κを形成するかによって決まる。そのため、掛け目κの位置は、必要な糸長に応じて適宜選択すれば良い。なお、掛け目κを外すタイミングは、Ｓ５で編目Ｐ０を形成した後であれば、特に限定されない。例えば、掛け目κは、伏目処理を全て終えた後にＢＢから外しても良い。
【００２６】
続くＳ８では、給糸口を伏目方向ＬＳに移動させ、Ｓ７の重ね目ε／ηを超える位置まで移動させた後、給糸口を始端方向ＲＳに反転させて、その重ね目ε／ηに続く新たな編目Ｐ１を形成する。このＳ８で形成される編目Ｐ１は裏目である。この編目Ｐ１は、Ｓ８を終了した時点でＢＢに係止されているが、次のＳ９でＦＢに目移しされ、ＦＢで始端方向ＲＳの端部にある一方側端部編目となる。
【００２７】
Ｓ９では、ＢＢの編針５，６に係止される編目Ｐ１，Ｐ０を、対向するＦＢの編針５，６に目移しし、Ｓ１０でＢＢの編針４に係止される編目δを、ＦＢの編針６に目移しする。Ｓ１０が終了した時点で、Ｓ８のときにＢＢにおける始端方向ＲＳの端部にあった編目Ｐ０（他方側端部編目）と、同じくＢＢ上で編目Ｐ０に最も近い位置にあった編目δとが、ＦＢの編針６上で重ね合わされる。なお、Ｓ８における編目Ｐ１は、ＦＢの一方側端部編目として規定されているので、他方側端部編目である編目Ｐ０に最も近い編目とはならない。
【００２８】
そして、Ｓ１１では、再び給糸口を伏目方向ＬＳに移動させる間に、ＢＢの編針８に掛け目λを形成して、重ね目δ／Ｐ０を超える位置まで移動させ、続くＳ１２で給糸口を反転させてその重ね目δ／Ｐ０に続く新たな編目Ｐ２を形成する。
【００２９】
ここで、Ｓ１２における編目の係止状態と給糸口の位置を見ると、Ｓ５の状態からＦＢとＢＢで編目が１つずつ減った状態となっている。そこで、Ｓ１２を含む以降の編成では、Ｓ５〜Ｓ１１と同様の編成を繰り返せば編地の最終コースを伏目処理することができる。
【００３０】
以上説明した編地の伏目方法を適用して編成された編地について、図２に基づいて説明する。図２（Ａ）に示す編地１００の最終コースに形成される伏目処理部２０を、図中の黒矢印の方向から見ると、図２（Ｂ）のイメージ図に示すように、交互に形成される表目２１と裏目２２とが編地の厚み方向に並列された状態となっている。これら表目２１と裏目２２とは渡り糸２３を介して繋がっており、伏目処理部２０はリブ組織のように引き締まった状態になっている。
【００３１】
次に、図２（Ｃ）に示すように、図２（Ａ）の編地を編幅方向に引っ張った場合、図２（Ｄ）のイメージ図に示すように、表目２１と裏目２２が編幅方向に伸びると共に、表目２１と裏目２２に繋がる渡り糸２３が、表目２１と裏目２２に繰り出される。そのため、伏目処理部２０は、従来よりも優れた伸縮性を発揮する。しかも、伏目処理部２０が伸ばされても、伏目処理部２０を構成する編糸が切れ難い。
【００３２】
＜実施形態２＞
実施形態２では、２×２のリブ組織からなる編地のウエール方向端部の編目列を本発明編地の伏目方法にて伏目処理する例を図３の編成工程図に基づいて説明する。この実施形態２では、２×２のリブ組織の編目列をあえてＦＢとＢＢに１目ずつ交互に振り分けた上で、当該編目列を伏目処理する一例を示す。
【００３３】
図３の編成工程図は、図１の編成工程図とは異なり、ＢＢのラッキングの様子が把握できるように表現された編成工程図である。図３のＴ１において○で示される編目のうち、ＦＢに係止される大文字アルファベットの符号が付されている編目は表目、ＢＢに係止される小文字アルファベットの符号が付されている編目は裏目である。
【００３４】
図３のＴ１に示す２×２のリブ組織の編目列に対して、Ｔ２では、ＢＢを始端方向ＲＳに１ピッチラッキングした後、裏目ａ，ｃをＢＢからＦＢに、表目Ｂ，ＤをＦＢからＢＢに目移しする。次いで、Ｔ３では、さらにＢＢを始端方向ＲＳに１ピッチラッキングした後、裏目ａ，ｃをＦＢからＢＢに戻し、表目Ｂ，ＤをＢＢからＦＢに戻す。そして、Ｔ４では、ＢＢを伏目方向ＬＳに２ピッチラッキングして、ＢＢをＦＢに対向する標準位置に戻す。
【００３５】
Ｔ４における編目の配置状態を見ると、表目Ｆを除いて、表目と裏目とがＦＢとＢＢに交互に並んだ状態、即ち、針床の長手方向において隣接する２つの表目（裏目）の間に裏目（表目）が配置された状態となっている。また、Ｔ４の全ての編目の配置状態を見ると、図１のＳ２と同じ配置状態となっている。従って、以降は、図１を参照する実施形態１と同様の編成により、この実施形態２の２×２のリブ組織を伏目処理すれば良い。
【００３６】
以上説明した実施形態２の伏目方法によれば、ＦＢには表目のみが、ＢＢには裏目のみが配置され、かつＦＢにおける表目の編幅方向の並び、およびＢＢにおける裏目の編幅方向の並びは、リブ組織が編成されたときの状態で維持された上で、伏目処理することができる。そのため、この実施形態の伏目方法によれば、規則的で見栄えの良い伏目処理部を形成できる。また、この伏目処理の際に形成される重ね目は、ほぼ全て表目と裏目とを重ね合わせた重ね目となる。例えば、ＦＢ側で行われる伏目処理について考えると、ＦＢの端部編目とその端部編目に隣接する隣接編目とを重ね合わせて、その重ね目に続く新たな編目（ＢＢで形成されるので裏目となる）を形成し、その裏目を次の端部編目として規定するため、端部編目は常に裏目、隣接編目は表目となるからである。ＢＢ側で行われる伏目処理についても同様に、端部編目は常に表目、隣接編目は裏目となる。このように、重ねられる編目の組み合わせが伏目処理部の全体にわたって規則的になることも、見栄えの良い伏目処理部となる一因である。
【００３７】
＜実施形態３＞
実施形態３では、３×３のリブ組織からなる編地のウエール方向端部の編目列を本発明編地の伏目方法にて伏目処理する一例を図４の編成工程図に基づいて説明する。この３×３のリブ組織の編目列も、実施形態１、２と同様に、あえてＦＢとＢＢに１目ずつ交互に振り分けた上で、当該編目列を伏目処理する。なお、図４の見方は図３と同様である。
【００３８】
図４のＵ１に示す３×３のリブ組織の編目列に対して、表目Ｂ，ＥをＦＢからＢＢに目移しし（Ｕ２）、ＢＢを始端方向ＲＳに１ピッチラッキングした後、表目Ｂ，ＥをＢＢからＦＢに戻すと共に、裏目ａ，ｄをＢＢからＦＢに目移しする（Ｕ３）。次いで、ＢＢを始端方向ＲＳに１ピッチラッキングした後、裏目ａ，ｄをＦＢからＢＢに戻し（Ｕ４）、さらにＢＢを始端方向ＲＳに１ピッチラッキングした後、表目ＣをＦＢからＢＢに目移しすると共に、裏目ｃをＢＢからＦＢに目移しする（Ｕ５）。そして、ＢＢを伏目方向ＬＳに１ピッチラッキングした後、表目ＣをＢＢからＦＢに戻すと共に、裏目ｃをＦＢからＢＢに戻し（Ｕ６）、最後にＢＢを伏目方向ＬＳに２ピッチラッキングして、ＢＢを標準位置に戻す。
【００３９】
Ｕ６における編目の配置状態を見ると、表目と裏目とがＦＢとＢＢに１目ずつ交互に並んだ状態、即ち、針床の長手方向において隣接する２つの表目（裏目）の間に裏目（表目）が配置された状態となっている。以降、まず表目Ｅと裏目ｅとを重ね合わせ、その重ね目に続く新たな編目を形成し、その新たな編目をＦＢにおける始端方向ＲＳの端部の編目（一方側端部編目）として規定し、図１を参照する実施形態１と同様の編成を行う。
【００４０】
以上説明した実施形態３の伏目方法も、実施形態２の伏目方法と同様の理由により、見栄えの良い伏目処理部を形成することができる。
【００４１】
なお、実施形態２，３とは異なるリブ組織（例えば、２×１や２×３などのあらゆるリブ組織）の編目列を伏目処理する場合も、実施形態２，３と同様に、始端方向ＲＳから伏目方向ＬＳに向かって、表目と裏目とがそれぞれＦＢとＢＢに交互に１目ずつ配置されるようにすると、見栄えの良い伏目処理部を形成できる。
【００４２】
＜実施形態４＞
実施形態４では、２×２のリブ組織の編目列を本発明編地の伏目方法により伏目処理するにあたり、当該編目列が編成されたときと同じ状態のまま本発明編地の伏目方法を開始する例を図５に基づいて説明する。図５の見方も、図３と同様である。
【００４３】
Ｖ１には、ＦＢとＢＢに表目と裏目が２目ずつ交互に係止された状態が示されている。このＶ１の状態からＢＢを始端方向ＲＳに２ピッチラッキングした後、ＢＢの裏目ｃよりも始端方向ＲＳに４針分離れた位置に掛け目μを形成すると共に、裏目ｄを表目Ｆに重ね合わせる（Ｖ２）。いうまでもないが、掛け目μを形成する位置は、上記位置に限定されるわけではない。
【００４４】
ＢＢを伏目方向ＬＳに１ピッチラッキングした後、Ｖ２の重ね目ｄ／Ｆに続いて編目Ｐ０を形成する（Ｖ３）。この編目Ｐ０は、ＢＢにおける始端方向ＲＳの端部の編目（他方側端部編目）として規定する。
【００４５】
次いで、ＦＢにおける始端方向ＲＳ側の端部の編目（一方側端部編目）である編目ＥをＦＢからＢＢに目移しすると共に、編目Ｐ０もＦＢからＢＢに目移しする（Ｖ４）。そして、ＢＢを伏目方向ＬＳに３ピッチラッキングした後、掛け目μをＢＢから外すと共に、Ｖ４でＢＢに目移しした表目Ｅに、表目Ｄを重ね合わせ（Ｖ５）、その重ね目Ｄ／Ｅに続く編目Ｐ１を形成する（Ｖ６）。ここで、Ｖ５において、表目Ｅに重ね合わせた表目Ｄは、Ｖ３のときに表目Ｅから伏目方向ＬＳに最も近い位置にあった編目である。
【００４６】
次に、編目Ｐ０，Ｐ１をＢＢからＦＢに目移しし（Ｖ７）、ＢＢを始端方向ＲＳに２ピッチラッキングした後、編目Ｐ０に裏目ｃを重ね合わせる（Ｖ８）。このＶ８において、ＢＢの端部編目である編目Ｐ０と重ね合わせる裏目ｃは、Ｖ４において編目Ｐ０から伏目方向ＬＳに最も近い位置にあった編目である。ここで、Ｖ４における編目Ｅは、ＢＢの編目ではないので編目Ｐ０に近接する編目ではない。
【００４７】
Ｖ８以降は、Ｖ３〜Ｖ８とほぼ同様の編成を繰り返せば良い。具体的には、重ね目ｃ／Ｐ０に続く新たな編目を形成し、その新たな編目をＢＢにおける始端方向ＲＳの端部編目として規定する。また、ＦＢの端部編目である編目Ｐ１と表目ＣをＢＢ上で重ね合わせて、その重ね目に続く新たな編目を形成し、その新たな編目をＦＢにおける端部編目として規定する。
【００４８】
以上説明した実施形態４の伏目方法でも、実施形態２，３の伏目方法と同様に重ね目が表目と裏目との組み合わせからなるため、見栄えの良い伏目処理部を形成することができる。
【００４９】
なお、本発明の実施形態は、上述した実施形態に限定されるわけではなく、本発明の要旨を逸脱しない範囲で適宜変更することができる。例えば、ＦＢとＢＢにそれぞれ前側編地と後側編地が係止される筒状編地の場合、前側編地と後側編地のそれぞれについて上記実施形態で示す伏目処理を行えば良い。
【符号の説明】
【００５０】
ＬＳ  伏目方向  ＲＳ  始端方向
α〜θ，Ｐ０〜Ｐ２  編目
κ，λ  掛け目
１００  編地
２０  伏目処理部
２１  表目  ２２  裏目  ２３  渡り糸
Ａ〜Ｆ，ａ〜ｅ，Ｐ０〜Ｐ１  編目
Ａ〜Ｆ，Ｐ０  表目  ａ〜ｅ，Ｐ１  裏目
μ  掛け目
【図１】
2012122175.tif 000003
【図２】
2012122175.tif 000004
【図３】
2012122175.tif 000005
【図４】
2012122175.tif 000006
【図５】
2012122175.tif 000007